(57)【要約】【課題】第１の家電、第２の家電、第１の制御装置、及び第２の制御装置を備える家電制御システムを提供する。【解決手段】  第１の制御装置２１は、前記第１の家電１１に設けられ、第１のブルートゥース通信モジュールが受信した複数のブルートゥース制御信号を第１の赤外線通信モジュールの赤外線制御信号に変換するために用いられる。第２の制御装置２２は、前記第２の家電１２に設けられ、第２のブルートゥース通信モジュールが受信した複数のブルートゥース制御信号を第２の赤外線通信モジュールの赤外線制御信号に変換するために用いられる。前記第２の赤外線通信モジュールは、第２の赤外線通信プロトコルに準じて前記赤外線制御信号を前記第２の家電１２の第２の赤外線家電制御モジュールに送信する。【選択図】図１
0003220512.tif 000002
【実用新案登録請求の範囲】
【請求項１】
第１の制御装置及び第２の制御装置を備える家電制御システムであって、
前記第１の制御装置は、第１の赤外線通信プロトコルを有する第１の赤外線家電制御モジュールを備える第１の家電に設けられ、
前記第１の制御装置は、
複数のブルートゥース制御信号を受信するための第１のブルートゥース通信モジュールと、
複数の赤外線制御信号を送信するための第１の赤外線通信モジュールと、
前記第１のブルートゥース通信モジュール及び前記第１の赤外線通信モジュールに電気的に接続され、前記第１のブルートゥース通信モジュールが受信した前記複数のブルートゥース制御信号を前記第１の赤外線通信モジュールの前記赤外線制御信号に変換するための第１の制御モジュールと、を備え、
前記第１の赤外線通信モジュールは、前記第１の赤外線通信プロトコルに準じて前記赤外線制御信号を前記第１の家電の第１の赤外線家電制御モジュールに送信し、
前記第２の制御装置は、第１の赤外線通信プロトコルを有する第２の赤外線家電制御モジュールを備える第２の家電に設けられ、
前記第２の制御装置は、
複数のブルートゥース制御信号を受信するための第２のブルートゥース通信モジュールと、
複数の赤外線制御信号を送信するための第２の赤外線通信モジュールと、
前記第２のブルートゥース通信モジュール及び前記第２の赤外線通信モジュールに電気的に接続され、前記第２のブルートゥース通信モジュールが受信した前記複数のブルートゥース制御信号を前記第２の赤外線通信モジュールの前記赤外線制御信号に変換するための第２の制御モジュールと、を備え、
前記第２の赤外線通信モジュールは、前記第２の赤外線通信プロトコルに準じて前記赤外線制御信号を前記第２の家電の第２の赤外線家電制御モジュールに送信する第２の制御装置とを備える、ことを特徴とする、家電制御システム。
【請求項２】
サーバと、
前記サーバに通信接続され、前記第１の家電又は前記第２の家電を制御する複数の家電制御信号を送信するために用いられる移動制御装置と、を備える
ことを特徴とする、請求項１に記載の家電制御システム。
【請求項３】
前記移動制御装置としては、スマートフォン、タブレットＰＣ、及びスマートウォッチを含むことを特徴とする、請求項２に記載の家電制御システム。
【請求項４】
前記第１の赤外線家電制御モジュールが、前記第１の制御装置における前記第１の赤外線通信モジュールの第１の信号送信範囲に設けられ、
前記第２の赤外線家電制御モジュールが、前記第２の制御装置における前記第２の赤外線通信モジュールの第２の信号送信範囲に設けられることを特徴とする、請求項１に記載の家電制御システム。
【考案の詳細な説明】
【技術分野】
【０００１】
本考案は、家電制御システムに関し、特に遮蔽物によって遮蔽されず赤外線により制御される家電制御システムに関する。
【背景技術】
【０００２】
近年来、スマートホームの概念が普及してきており、多くの家電が全てネットワーキング機能を有し、ユーザに直接にネットワーク信号で制御を行うことができる。しかしながら、多数の家庭には数多くのネットワーキング機能を有しない家電がまだ用いられている。そして、家電は機能的に素晴らしいものであることに変わりがなく、多くの従来の家電は全て赤外線リモコン機能を有するが、赤外線が遮蔽物によって遮蔽されやすく、いつでもどこでも制御を行うことに不利である。
【０００３】
このことに鑑みて、遮蔽物によって影響されず、赤外線により制御される家電制御システムを提供することが、実は業界の１つの重要な課題である。
【考案の概要】
【考案が解決しようとする課題】
【０００４】
本考案に係る実施例は、第１の家電、第２の家電、第１の制御装置、及び第２の制御装置を備える家電制御システムを提供する。第１の家電は、第１の赤外線通信プロトコルを有する第１の赤外線家電制御モジュールを備える。第２の家電は、第１の赤外線通信プロトコルを有する第２の赤外線家電制御モジュールを備える。第１の制御装置は、前記第１の家電に設けられ、複数のブルートゥース（登録商標）制御信号を受信するための第１のブルートゥース通信モジュールと、複数の赤外線制御信号を送信するための第１の赤外線通信モジュールと、前記第１のブルートゥース通信モジュール及び前記第１の赤外線通信モジュールに電気的に接続され、前記第１のブルートゥース通信モジュールが受信した前記複数のブルートゥース制御信号を前記第１の赤外線通信モジュールの前記赤外線制御信号に変換するための第１の制御モジュールとを備え、前記第１の赤外線通信モジュールは、前記第１の赤外線通信プロトコルに準じて前記赤外線制御信号を前記第１の家電の第１の赤外線家電制御モジュールに送信する。第２の制御装置は、前記第２の家電に設けられ、複数のブルートゥース制御信号を受信するための第２のブルートゥース通信モジュールと、複数の赤外線制御信号を送信するための第２の赤外線通信モジュールと、前記第２のブルートゥース通信モジュール及び前記第２の赤外線通信モジュールに電気的に接続され、前記第２のブルートゥース通信モジュールが受信した前記複数のブルートゥース制御信号を前記第２の赤外線通信モジュールの前記赤外線制御信号に変換するための第２の制御モジュールとを備え、前記第２の赤外線通信モジュールは、前記第２の赤外線通信プロトコルに準じて前記赤外線制御信号を前記第２の家電の第２の赤外線家電制御モジュールに送信する。
なお、本考案における「ブルートゥース」は登録商標である。
【課題を解決するための手段】
【０００５】
以上をまとめると、本考案はいずれの家電にも赤外線放出機能及びブルートゥース通信機能を併せ持つ制御装置が設けられることで、赤外線伝送が遮蔽物によって遮蔽されるという問題を解決することができ、さらにブルートゥース通信機能により、ローカル又は室外において家電を制御し、設置コストを著しく低減することができる。
【図面の簡単な説明】
【０００６】
【図１】本考案に係る実施例の家電制御システムの模式図である。
【図２Ａ】図１における第１の制御装置模式図である。
【図２Ｂ】図１における第２の制御装置模式図である。
【図２Ｃ】図１における第３の制御装置模式図である。
【考案を実施するための形態】
【０００７】
以下、特定の具体的実施例により、本考案に開示される「生体検出装置」に関する実施の態様を説明するが、当業者は本明細書に開示される内容から本考案のメリットと効果が分かりやすい。本考案は他の異なる具体的実施例により実施又は応用されてもよく、本明細書における各項の詳細は異なる観点と応用に基づき、本考案の趣旨を逸脱することなく種々の変形と変更を行ってもよい。また、本考案の添付図面は簡単な概略的説明に過ぎず、実際のサイズに従い描画されるものではないことを明らかにしておく。なお、本明細書において第１、第２、第３等の用語で各種の部品等を説明する可能性があるが、これらの部品はこれらの用語によって制限されるものではない。これらの用語は一つの部品と別の部品を区別するためのものである。また、数又はその同様なものを言及する場合、特記しない限り、本考案の応用範囲はその数又はその同様なものの制限を受けるものではない。以下の実施の態様は本考案の関連技術内容をさらに詳述するが、開示される内容は本考案の技術的範囲を制限するためのものではない。
【０００８】
［本考案に係る通信システムの実施例］
図１及び図２を参照する。図１は本考案に係る実施例の家電制御システムの模式図である。図２Ａ、図２Ｂ、図２Ｃは、それぞれ図１中の第１の制御装置、第２の制御装置、及び第３の制御装置の模式図である。
【０００９】
家電制御システム１は所定の領域Ｈに設けられる。本実施例において、所定の領域Ｈは自宅エリアであり、他の実施例において、所定の領域Ｈは各種のオフィスエリア、営業用エリア、工業用エリア、又は他の生活エリアを含み、本考案には制限されない。
【００１０】
家電制御システム１は、第１の家電１１と、第２の家電１２と、第３の家電１３と、第１の制御装置２１と、第２の制御装置２２と、第３の制御装置２３とを備える。
【００１１】
家電制御システム１は、移動制御装置５０とサーバ３０とをさらに備える。
【００１２】
本実施例において、第１の家電１１は第１の赤外線家電制御モジュール（図示せず）を備え、第１の赤外線家電制御モジュールは第１の赤外線通信プロトコルを有する。第２の家電１２は第２の赤外線家電制御モジュール（図示せず）を備え、第２の赤外線通信プロトコルを有する。第３の家電１３は第３の赤外線家電制御モジュール（図示せず）を備え、第３の赤外線通信プロトコルを有する。
【００１３】
本実施例において、第１の制御装置２１、第２の制御装置２２、及び第３の制御装置２３は、それぞれ第１の家電１１、第２の家電１２、及び第３の家電１３に設けられる。
【００１４】
第１の制御装置２１は、第１の家電１１に設けられ、第１の家電１１の第１の赤外線家電制御モジュール１１１に近接して設けられる。本実施例において、第１の赤外線家電制御モジュール１１１は第１の赤外線信号受信側（図示せず）を有するとともに、第１の信号受信範囲を有する。第１の制御装置２１が第１の赤外線家電制御モジュール１１１の第１の信号受信範囲内に設けられる。そして、第１の赤外線家電制御モジュール１１１の赤外線信号受信側（図示せず）が第１の制御装置２１から送信される制御信号を受信できることを確保するように、第１の制御装置２１は、第１の赤外線信号受信側（図示せず）の隣に近接して設けられることが必要である。
【００１５】
第２の制御装置２２は、第２の家電１２に設けられ、第２の家電１２の第２の赤外線家電制御モジュール１２１に近接して設けられる。本実施例において、第２の赤外線家電制御モジュール１２１は第２の赤外線信号受信側（図示せず）を有するとともに、第２の信号受信範囲を有する。第２の制御装置２２が第２の赤外線家電制御モジュール１２１の第２の信号受信範囲内に設けられる。そして、第２の赤外線家電制御モジュール１２１の第２の赤外線信号受信側（図示せず）が第２の制御装置２２から送信される制御信号を受信できることを確保するように、第２の制御装置２２は、第２の赤外線信号受信側（図示せず）の隣に近接して設けられることが必要である。
【００１６】
第３の制御装置２３は、第３の家電１３に設けられ、第３の家電１３の第３の赤外線家電制御モジュール１３１に近接して設けられる。本実施例において、第３の赤外線家電制御モジュール１３１は第３の赤外線信号受信側（図示せず）を有するとともに、信号受信範囲を有する。第３の制御装置２３が第３の赤外線家電制御モジュール１３１の第３の信号受信範囲内に設けられる。そして、第３の赤外線家電制御モジュール１３１の第３の赤外線信号受信側（図示せず）が第３の制御装置２３から送信される制御信号を受信できることを確保するように、第３の制御装置２３は第３の赤外線信号受信側（図示せず）の隣に近接して設けられることが必要である。
【００１７】
本実施例において、第１の制御装置２１は、第１の制御モジュール２１１と、第１のブルートゥース通信モジュール２１２と、第１の赤外線通信モジュール２１３とを備える。
【００１８】
第１のブルートゥース通信モジュール２１２は、複数のブルートゥース制御信号を受信するために用いられる。第１の赤外線通信モジュール２１３は、複数の赤外線制御信号を送信するために用いられる。第１の制御モジュール２１１は第１のブルートゥース通信モジュール２１２及び第１の赤外線通信モジュール２１３に電気的に接続される。第１の制御モジュール２１１は第１のブルートゥース通信モジュール２１２が受信した複数のブルートゥース制御信号を第１の赤外線通信モジュール２１３の赤外線制御信号に変換するために用いられる。第１の赤外線通信モジュール２１３は第１の赤外線通信プロトコルに準じて前記赤外線制御信号を第１の家電１１の第１の赤外線家電制御モジュール１１１に送信する。
【００１９】
前述した第１の赤外線家電制御モジュール１１１の第１の赤外線信号受信側（図示せず）が第１の信号受信範囲を有することに対して、第１の制御装置２１の第１の赤外線通信モジュール２１３は、第１の信号送信範囲を有する。第１の赤外線家電制御モジュール１１１が第１の赤外線家電制御モジュール１１１の第１の信号送信範囲内に設けられ、両者間に信号の遮蔽物が何もない。
【００２０】
本実施例において、第２の制御装置２２は、第２の制御モジュール２２１と、第２のブルートゥース通信モジュール２２２と、第２の赤外線通信モジュール２２３とを備える。
【００２１】
第２のブルートゥース通信モジュール２２２は、複数のブルートゥース制御信号を受信するために用いられる。第２の赤外線通信モジュール２２３は、複数の赤外線制御信号を送信するために用いられる。第２の制御モジュール２２１は第２のブルートゥース通信モジュール２２２及び第２の赤外線通信モジュール２２３に電気的に接続される。第２の制御モジュール２２１は第２のブルートゥース通信モジュール２２２が受信した複数のブルートゥース制御信号を第２の赤外線通信モジュール２２３の赤外線制御信号に変換するために用いられる。第２の赤外線通信モジュール２２３は第２の赤外線通信プロトコルに準じて前記赤外線制御信号を第２の家電１２の第２の赤外線家電制御モジュール１２１に送信する。
【００２２】
前述した第２の赤外線家電制御モジュール１２１の第１の赤外線信号受信側（図示せず）が第１の信号受信範囲を有することに対して、第２の制御装置２２の第２の赤外線通信モジュール２２３は、第２の信号送信範囲を有する。第２の赤外線家電制御モジュール１２１が第２の赤外線家電制御モジュール１２１の第２の信号送信範囲内に設けられ、両者間に信号の遮蔽物が何もない。
【００２３】
本実施例において、第３の制御装置２３は、第３の制御モジュール２３１と、第３のブルートゥース通信モジュール２３２と、第３の赤外線通信モジュール２３３とを備える。
【００２４】
第３のブルートゥース通信モジュール２３２は、複数のブルートゥース制御信号を受信するために用いられる。第３の赤外線通信モジュール２３３は、複数の赤外線制御信号を送信するために用いられる。第３の制御モジュール２３１は第３のブルートゥース通信モジュール２３２及び第３の赤外線通信モジュール２３３に電気的に接続される。第３の制御モジュール２３１は第３のブルートゥース通信モジュール２３２が受信した複数のブルートゥース制御信号を第３の赤外線通信モジュール２３３の赤外線制御信号に変換するために用いられる。第３の赤外線通信モジュール２３３は第３の赤外線通信プロトコルに準じて前記赤外線制御信号を第３の家電１３の第３の赤外線家電制御モジュール１３１に送信する。
【００２５】
前述した第３の赤外線家電制御モジュール１３１の第３の赤外線信号受信側（図示せず）が第３の信号受信範囲を有することに対して、第３の制御装置２３の第３の赤外線通信モジュール２３３は、第３の信号送信範囲を有する。第３の赤外線家電制御モジュール１３１が第３の赤外線家電制御モジュール１３１の第３の信号送信範囲内に設けられ、両者間に信号の遮蔽物が何もない。
【００２６】
本実施例において、家電制御システム１の移動制御装置５０は、第１の家電１１、第２の家電１２、又は第３の家電１３を制御する複数の制御信号をサーバ３０に送信するために用いられる。サーバ３０は、移動制御装置５０から送信される制御信号及び制御信号における第１の家電１１、第２の家電１２、又は第３の家電１３に対応する識別子に応じて、制御信号に対応するブルートゥース制御信号をユーザから選択される家電の対応する制御装置に送信する。
【００２７】
即ち、サーバ３０は、移動制御装置５０の制御信号に応じて、制御信号に対応するブルートゥース制御信号を第１の家電１１の第１の制御装置２１、第２の家電１２の第２の制御装置２２、又は第３の家電１３の第３の制御装置２３に送信する。
【００２８】
第１の制御装置２１の第１のブルートゥース通信モジュール２１２、第２の制御装置２２の第２のブルートゥース通信モジュール２２２、及び第３の制御装置２３の第３のブルートゥース通信モジュール２３２の何れかがブルートゥース制御信号を受信する場合、対応する第１の制御装置２１の第１の赤外線通信モジュール２１３、第２の制御装置２２の第２の赤外線通信モジュール２２３、及び第３の制御装置２３の第３の赤外線通信モジュール２３３は、赤外線家電制御信号を対応する第１の家電１１、第２の家電１２、又は第３の家電１３の第１の赤外線家電制御モジュール１１１、第２の赤外線家電制御モジュール１２１及び第３の赤外線家電制御モジュール１３１の何れかに送信する。
【００２９】
なかでも、移動制御装置５０は、スマートフォン、タブレットＰＣ、及びスマートウォッチを含む。ユーザは移動制御装置５０のプログラムを介して、第１の家電１１、第２の家電１２、又は第３の家電１３の制御インターフェイスの何れかを選んで、さらに機能を調整することができる。
【００３０】
なお、第１の制御装置２１、第２の制御装置２２、及び第３の制御装置２３は、それぞれ第１の給電モジュール（図示せず）、第２の給電モジュール（図示せず）、及び第３の給電モジュール（図示せず）をさらに備える。第１の給電モジュール、第２の給電モジュール、及び第３の給電モジュールは、それぞれボタン電池、リチウム電池、交流直流電圧変換器、又は直流直流電圧変換器を備える。
【００３１】
本実施例において、移動制御装置５０とサーバ３０は、ブルートゥース通信プロトコル４．０、ブルートゥース通信プロトコル５．０、Ｗｉｆｉ通信プロトコル、ＬｏＲａ通信プロトコル、Ｓｉｇｆｏｘ通信プロトコル、第４世代移動通信技術の通信プロトコル（４Ｇ）又は第５世代移動通信技術の通信プロトコル（５Ｇ）に準じて、実際の要求に応じて調整、設計を行ってもよく、本考案には制限されない。
【００３２】
サーバ３０と第１の制御装置２１、第２の制御装置２２、及び第３の制御装置２３は、ブルートゥース通信プロトコル４．０又はブルートゥース通信プロトコル５．０に準じて通信を行う。なお、第１のブルートゥース通信モジュール２１２、第２のブルートゥース通信モジュール２２２、及び第３のブルートゥース通信モジュール２３２は、それぞれ低消費電力ブルートゥース通信モジュールである。
【００３３】
本実施例において、家電の数、制御装置の数は、全て実際の要求に応じて調整、設定を行ってもよく、本考案には制限されない。本実施例において、サーバ３０の設置領域は所定の領域Ｈにあり、他の実施例において、サーバ３０が他の領域、例えばクラウドエンドサーバに設けることができ、本考案には制限されない。
【００３４】
以上をまとめると、本考案はいずれの家電にも赤外線放出機能及びブルートゥース通信機能を併せ持つ制御装置が設けられることで、赤外線伝送が遮蔽物によって遮蔽されるという問題を解決することができ、さらにブルートゥース通信機能により、ローカル又は室外において家電を制御し、設置コストを著しく低減することができる。
【００３５】
上述したのは本考案の好ましい実施例に過ぎず、本考案の特許請求の範囲を限定するためのものではない。したがって、本考案の明細書及び図面の内容に基づき為された均等の変化は、全て同様に本考案の特許請求の範囲に含まれることを明らかにしておく。
【符号の説明】
【００３６】
１  家電制御システム
１１  第１の家電
１２  第２の家電
１３  第３の家電
２１  第１の制御装置
２２  第２の制御装置
２３  第３の制御装置
１１１  第１の赤外線家電制御モジュール
１２１  第２の赤外線家電制御モジュール
１３１  第３の赤外線家電制御モジュール
Ｈ  所定の領域
３０  サーバ
５０  移動制御装置
２１１  第１の制御モジュール
２１２  第１のブルートゥース通信モジュール
２１３  第１の赤外線通信モジュール
２２１  第２の制御モジュール
２２２  第２のブルートゥース通信モジュール
２２３  第２の赤外線通信モジュール
２３１  第３の制御モジュール
２３２  第３のブルートゥース通信モジュール
２３３  第３の赤外線通信モジュール
【図１】
0003220512.tif 000003
【図２Ａ】
0003220512.tif 000004
【図２Ｂ】
0003220512.tif 000005
【図２Ｃ】
0003220512.tif 000006
【手続補正書】
【提出日】平成31年1月16日(2019.1.16)
【手続補正１】
【補正対象書類名】実用新案登録請求の範囲
【補正対象項目名】全文
【補正方法】変更
【補正の内容】
【実用新案登録請求の範囲】
【請求項１】
第１の制御装置及び第２の制御装置を備える家電制御システムであって、
前記第１の制御装置は、第１の赤外線通信プロトコルを有する第１の赤外線家電制御モジュールを備える第１の家電に設けられ、
前記第１の制御装置は、
複数のブルートゥース制御信号を受信するための第１のブルートゥース通信モジュールと、
複数の赤外線制御信号を送信するための第１の赤外線通信モジュールと、
前記第１のブルートゥース通信モジュール及び前記第１の赤外線通信モジュールに電気的に接続され、前記第１のブルートゥース通信モジュールが受信した前記複数のブルートゥース制御信号を前記第１の赤外線通信モジュールの前記赤外線制御信号に変換するための第１の制御モジュールと、を備え、
前記第１の赤外線通信モジュールは、前記第１の赤外線通信プロトコルに準じて前記赤外線制御信号を前記第１の家電の第１の赤外線家電制御モジュールに送信し、
前記第２の制御装置は、第２の赤外線通信プロトコルを有する第２の赤外線家電制御モジュールを備える第２の家電に設けられ、
前記第２の制御装置は、
複数のブルートゥース制御信号を受信するための第２のブルートゥース通信モジュールと、
複数の赤外線制御信号を送信するための第２の赤外線通信モジュールと、
前記第２のブルートゥース通信モジュール及び前記第２の赤外線通信モジュールに電気的に接続され、前記第２のブルートゥース通信モジュールが受信した前記複数のブルートゥース制御信号を前記第２の赤外線通信モジュールの前記赤外線制御信号に変換するための第２の制御モジュールと、を備え、
前記第２の赤外線通信モジュールは、前記第２の赤外線通信プロトコルに準じて前記赤外線制御信号を前記第２の家電の第２の赤外線家電制御モジュールに送信することを特徴とする、家電制御システム。
【請求項２】
サーバと、
前記サーバに通信接続され、前記第１の家電又は前記第２の家電を制御する複数の家電制御信号を送信するために用いられる移動制御装置と、を備えることを特徴とする、請求項１に記載の家電制御システム。
【請求項３】
前記移動制御装置としては、スマートフォン、タブレットＰＣ、及びスマートウォッチを含むことを特徴とする、請求項２に記載の家電制御システム。
【請求項４】
前記第１の赤外線家電制御モジュールが、前記第１の制御装置における前記第１の赤外線通信モジュールの第１の信号送信範囲に設けられ、
前記第２の赤外線家電制御モジュールが、前記第２の制御装置における前記第２の赤外線通信モジュールの第２の信号送信範囲に設けられることを特徴とする、請求項１に記載の家電制御システム。